【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
画像形成装置の装置本体であって移動部材を有する装置本体に対し、前記移動部材によって画像形成を実行可能な第１位置と、前記第１位置と異なる第２位置であって前記画像形成を実行不可能な第２位置と、の間を移動させられるカートリッジであって、
トナー収容するトナー収容部を有するフレームと、トナーを担持するための現像ローラと、を備えるカートリッジにおいて、
前記フレームは、前記移動部材の係合部と係合するように構成された被係合部を有し、前記被係合部は、前記移動部材によって前記カートリッジが移動させられている姿勢において前記フレームの底面から下方に向かって突出しており、
前記第２位置から前記第１位置へ向かう方向を第１方向、前記第１位置から前記第２位置へ向かう方向を第２方向、としたときに、前記被係合部は、前記第１方向の端面である第１被係合面と、前記第２方向の端面である第２被係合面と、を有し、
前記カートリッジは、前記第２被係合面が前記移動部材の前記係合部と接触し且つ前記第１方向に押圧されることによって、前記第１方向に移動させられ、前記第１被係合面が前記移動部材の前記係合部と接触し且つ前記第２方向に押圧されることによって、前記第２方向に移動させられるように構成され、
前記カートリッジが前記移動部材によって前記第１方向に移動させられている時は、前記第１被係合面は前記係合部に接触せず、前記カートリッジが前記移動部材によって前記第２方向に移動させられている時は、前記第２被係合面は前記係合部に接触しない、ように構成されていることを特徴とするカートリッジ。
【請求項２】
前記被係合部は、前記第１方向に直交する方向の前記フレームの端部に設けられていることを特徴とする請求項１に記載のカートリッジ。
【請求項３】
前記装置本体から前記現像ローラを回転させるための駆動力を受ける駆動力受け部を有し、
前記駆動力受け部は、前記第１方向に直交する方向において前記被係合部と同じ側の前記カートリッジの端部に設けられていることを特徴とする請求項２に記載のカートリッジ。
【請求項４】
前記装置本体の位置決め部に当接することで前記装置本体に対する前記カートリッジの位置を決めるための被位置決め部を有し、
前記カートリッジが前記第１位置にある時は、前記被位置決め部が前記装置本体の前記位置決め部に当接し、前記第１被係合面及び前記第２被係合面のいずれも前記移動部材の前記係合部と接触しない、ように構成されていることを特徴とする請求項１乃至３のいずれか１項に記載のカートリッジ。
【請求項５】
前記フレームを現像フレームとしたときに、感光ドラムと、前記感光ドラムを回転可能に支持するドラムフレームと、を有し、
前記現像フレームは、前記ドラムフレームに対して揺動可能に連結され、前記カートリッジが前記移動部材によって移動されている状態において前記ドラムフレームの下方にあるように構成されていることを特徴とする請求項１乃至４のいずれか１項に記載のカートリッジ。
【請求項６】
カートリッジと、前記カートリッジを着脱可能な装置本体と、を含む画像形成装置において、
前記装置本体は、画像形成を実行可能な第１位置と、前記第１位置と異なる第２位置であって前記画像形成を実行不可能な第２位置と、の間で前記カートリッジを移動させる移動部材であって、係合部を有する移動部材を有し、
前記カートリッジは、トナー収容するトナー収容部と前記移動部材の係合部と係合するように構成された被係合部とを備えるフレームと、トナーを担持するための現像ローラと、を有し、
前記第２位置から前記第１位置へ向かう方向を第１方向、前記第１位置から前記第２位置へ向かう方向を第２方向、としたときに、前記被係合部は、前記第１方向の端面である第１被係合面と、前記第２方向の端面である第２被係合面と、を有し、
前記移動部材は、前記係合部が前記第２被係合面に接触し且つ前記第２被係合面を前記第１方向に押圧することによって、前記カートリッジを前記第１方向に移動させ、前記係合部が前記第１被係合面に接触し且つ前記第１被係合面を前記第２方向に押圧することによって、前記カートリッジを前記第２方向に移動させて、
前記移動部材が前記カートリッジを前記第１方向に移動させている時は、前記係合部は第１被係合面に接触せず、前記カートリッジを前記第２方向に移動させている時は、前記係合部は前記第２被係合面に接触しないことを特徴とする画像形成装置。
【請求項７】
前記被係合部は、前記カートリッジの前記フレームの底面から下方に向かって突出した凸部であり、
前記係合部は、前記カートリッジの前記底面と対向する面において下方に凹んだ凹部であって、
前記凹部の前記第１方向における幅の方が前記凸部の前記第１方向の幅よりも広いことを特徴とする請求項６に記載の画像形成装置。
【請求項８】
前記被係合部は、前記第１方向に直交する方向の前記フレームの端部に設けられていることを特徴とする請求項６又は７に記載の画像形成装置。
【請求項９】
前記カートリッジは、前記装置本体から前記現像ローラを回転させるための駆動力を受ける駆動力受け部を有し、
前記駆動力受け部は、前記第１方向に直交する方向において前記被係合部と同じ側の前記カートリッジの端部に設けられていることを特徴とする請求項８に記載の画像形成装置。
【請求項１０】
前記装置本体は位置決め部を有し、
前記カートリッジは、前記位置決め部に当接することで前記装置本体に対する前記カートリッジの位置を決めるための被位置決め部を有し、
前記カートリッジが前記第１位置にある時は、前記被位置決め部が前記装置本体の前記位置決め部に当接し、前記第１被係合面及び前記第２被係合面のいずれも前記移動部材の前記係合部と接触しない、ように構成されていることを特徴とする請求項６乃至９のいずれか１項に記載の画像形成装置。
【請求項１１】
前記フレームを現像フレームとしたときに、感光ドラムと、前記感光ドラムを回転可能に支持するドラムフレームと、を有し、
前記現像フレームは、前記ドラムフレームに対して揺動可能に連結され、前記ドラムフレームの下方にあるように構成されていることを特徴とする請求項６乃至１０のいずれか１項に記載の画像形成装置。
【手続補正２】
【補正対象書類名】明細書
【補正対象項目名】００１１
【補正方法】変更
【補正の内容】
【００１１】
本発明は、画像形成装置の装置本体であって移動部材を有する装置本体に対し、前記移動部材によって画像形成を実行可能な第１位置と、前記第１位置と異なる第２位置であって前記画像形成を実行不可能な第２位置と、の間を移動させられるカートリッジであって、トナー収容するトナー収容部を有するフレームと、トナーを担持するための現像ローラと、を備えるカートリッジにおいて、前記フレームは、前記移動部材の係合部と係合するように構成された被係合部を有し、前記被係合部は、前記移動部材によって前記カートリッジが移動させられている姿勢において前記フレームの底面から下方に向かって突出しており、前記第２位置から前記第１位置へ向かう方向を第１方向、前記第１位置から前記第２位置へ向かう方向を第２方向、としたときに、前記被係合部は、前記第１方向の端面である第１被係合面と、前記第２方向の端面である第２被係合面と、を有し、前記カートリッジは、前記第２被係合面が前記移動部材の前記係合部と接触し且つ前記第１方向に押圧されることによって、前記第１方向に移動させられ、前記第１被係合面が前記移動部材の前記係合部と接触し且つ前記第２方向に押圧されることによって、前記第２方向に移動させられるように構成され、前記カートリッジが前記移動部材によって前記第１方向に移動させられている時は、前記第１被係合面は前記係合部に接触せず、前記カートリッジが前記移動部材によって前記第２方向に移動させられている時は、前記第２被係合面は前記係合部に接触しない、ように構成されていることを特徴とする。
【手続補正３】
【補正対象書類名】明細書
【補正対象項目名】００１２
【補正方法】変更
【補正の内容】
【００１２】
また、本発明は、カートリッジと、前記カートリッジを着脱可能な装置本体と、を含む画像形成装置において、前記装置本体は、画像形成を実行可能な第１位置と、前記第１位置と異なる第２位置であって前記画像形成を実行不可能な第２位置と、の間で前記カートリッジを移動させる移動部材であって、係合部を有する移動部材を有し、前記カートリッジは、トナー収容するトナー収容部と前記移動部材の係合部と係合するように構成された被係合部とを備えるフレームと、トナーを担持するための現像ローラと、を有し、前記第２位置から前記第１位置へ向かう方向を第１方向、前記第１位置から前記第２位置へ向かう方向を第２方向、としたときに、前記被係合部は、前記第１方向の端面である第１被係合面と、前記第２方向の端面である第２被係合面と、を有し、前記移動部材は、前記係合部が前記第２被係合面に接触し且つ前記第２被係合面を前記第１方向に押圧することによって、前記カートリッジを前記第１方向に移動させ、前記係合部が前記第１被係合面に接触し且つ前記第１被係合面を前記第２方向に押圧することによって、前記カートリッジを前記第２方向に移動させて、前記移動部材が前記カートリッジを前記第１方向に移動させている時は、前記係合部は第１被係合面に接触せず、前記カートリッジを前記第２方向に移動させている時は、前記係合部は前記第２被係合面に接触しないことを特徴とする。
【手続補正４】
【補正対象書類名】明細書
【補正対象項目名】００１３
【補正方法】削除
【補正の内容】